(57)【要約】【課題】操作手段の操作を、音量調整、表示部の濃度調整のいずれかに、自動的に切換えて、ユーザの利便性を向上させた電子機器を提供する。【解決手段】予め記憶させた音声信号を再生出力する音声再生手段１２と、操作手段８による操作を、音声再生手段１２が音声信号を再生していないときには、表示部９の濃度調整に切換え、かつ、音声を再生しているときには、音量調整に切換える制御手段１とを備える。【選択図】図１
2008177685.tif 000002
【特許請求の範囲】
【請求項１】
表示部の表示濃度を調整する操作手段を備えた電子機器において、
予め記憶させた音声信号を再生出力する音声再生手段と、
上記操作手段による操作を、上記音声再生手段が音声信号を再生していないときには、上記表示部の濃度調整に切換える一方、音声を再生しているときには、音量調整に切換える制御手段とを備えていることを特徴とする電子機器。
【請求項２】
請求項１において、
上記音声再生手段は、電子機器の操作ガイドメッセージを再生出力するものであることを特徴とする電子機器。
【請求項３】
請求項１または２において、
上記表示部は、液晶表示器であり、上記濃度は表示濃度であることを特徴とする電子機器。
【発明の詳細な説明】
【技術分野】
【０００１】
本発明は、音声信号を再生出力する音声再生手段、表示器、音量調整や表示器の濃度設定を行う操作手段を備える電子機器の改良に関する。
【背景技術】
【０００２】
近時、ファクシミリ装置、コピー装置、ターミナルアダプタなど、音声信号（例えば操作ガイダンス）を再生出力する音声再生手段、表示器、音量調整や表示器の濃度設定を行う操作手段を備える電子機器が普及している。
【０００３】
この種の電子機器によれば、音声再生手段は、例えば、ユーザが操作方法の教示を所望する場合に操作ガイダンスを音声信号で再生出力する。表示器は、電子機器の動作状態や操作ガイダンスを表示する。
【０００４】
また、操作手段は、音声再生手段から再生出力される音声信号の音量の調整を行うためのボリュームと、表示部の濃度の調整を行うためのボリュームとを備え、それぞれのボリュームの操作に連動して、音声信号の音量、表示部の濃度の調整が行われる。
【０００５】
ところで、このように、音声信号の音量、表示部の濃度の調整を、それぞれに対応する専用のボリュームを操作する必要があり、双方のボリュームを取り付ける実装スペースが必要となり、電子機器の小型化が阻害され、部品点数の増加、コストの上昇という問題があったため、本出願人は、下記特許文献１において、音声信号の音量、表示部の濃度の調整を兼用することができる技術を提案している。
【特許文献１】特開２０００−１５１８８２号公報
【発明の開示】
【発明が解決しようとする課題】
【０００６】
特許文献１では、音声信号の音量、表示部の濃度の調整を行うための１対のアップダウンキーを設けており、フックキーが操作された場合には、アップダウンキーの操作は音量調整に切換わり、かつ、フックキーが操作されない場合には、アップダウンキーの操作は表示部の濃度調整に切換わる。
【０００７】
このように、特許文献１では、フックキーの操作の有無に応じて、音量調整と表示部の濃度調整のいずれかに切換えることで、電子機器の小型化、部品点数の減少、コストの抑制を図っているが、フックキーの操作を経ずとも、音量調整と表示部の濃度調整のいずれかに切換えることができれば便利である。
【０００８】
本発明は、このような事情を考慮して提案されるものであり、操作手段の操作を、音量調整、表示部の濃度調整のいずれかに、自動的に切換えて、ユーザの利便性を向上させた電子機器を提供することを目的とする。
【課題を解決するための手段】
【０００９】
上記目的を達成するために、本発明の請求項１では、予め記憶させた音声信号を再生出力する音声再生手段と、上記操作手段による操作を、上記音声再生手段が音声信号を再生していないときには、上記表示部の濃度調整に切換え、かつ、音声を再生しているときには、音量調整に切換える制御手段とを備えていることを特徴とする。
【００１０】
請求項２では、上記音声再生手段は、電子機器の操作ガイドメッセージを再生出力するものであることを特徴とする。
【００１１】
請求項３では、上記表示部は、液晶表示器であり、上記濃度は表示濃度であることを特徴とする。
【発明の効果】
【００１２】
本発明の請求項１によれば、音量調整と表示部の濃度調整とを兼用した操作手段は、音声再生手段が音声信号を再生していないときには、表示部の濃度調整に切換わり、かつ、音声を再生しているときには、音量調整に切換わるので、他の操作を必要とせずに、音声の調整を行う必要のあるときには、音量調整キーとして操作でき、表示部の濃度調整を行う必要のあるときは、濃度調整キーとして操作できる。
【００１３】
請求項２によれば、音声再生手段は、電子機器の操作ガイドメッセージを再生出力するので、操作ガイドメッセージを確認しながら、音量調整を行なうことができる。
【００１４】
請求項３によれば、液晶表示器の表示濃度を調整することができる。
【発明を実施するための最良の形態】
【００１５】
以下に、本発明の実施の形態について説明する。
【００１６】
図１は、本発明の電子機器の要部構成の一例を示すブロック図である。なお、本実施例では、電子機器としてファクシミリ装置Ｆを例示しているが、この例には限られない。
【００１７】
このファクシミリ装置Ｆは、この電子機器を制御するための制御部１、電話回線Ｌに対する接続制御を行うＮＣＵ２、ファクシミリ通信に必要な各種信号の変復調を行うモデム３、各種データを記憶するＲＡＭ４、この電子機器が動作するために必要な各種プログラムなどを記憶したＲＯＭ５、画像データを一時格納する画像メモリ６、セットされた原稿を読み取り、画像データを生成するスキャナ７、ボリュームやアップダウンキーなどを有する操作部８、液晶表示器などで構成される表示部９、画像データの符号化、復号を行うコーデック１０、画像データをプリントするプリンタ１１、予め記憶させた音声信号を再生出力する音声信号出力部１２を備える。
【００１８】
このファクシミリ装置Ｆにおいて、音声再生手段は音声信号出力部１２で構成され、操作手段は操作部８で構成され、制御手段は制御部１で構成される。
【００１９】
音声信号出力部１２からは、予め記憶された操作ガイドメッセージや、モニタ音などが出力される。操作ガイドメッセージは、例えば、紙詰まりが生じたときにユーザによって図示しないヘルプキーが操作されたときに読み出され再生出力される。なお、モニタ音とは、交換機から電話回線Ｌを通じて送出されてくる音声信号をいう。
【００２０】
表示部９には、待機画面、コピー機能開始時の倍率等設定画面、ファクシミリ送信時の相手先等選択画面などが表示される。
【００２１】
図２は、本発明の電子機器の具体的な構成の一例を示す図である。
【００２２】
操作部８は、ボリュームとしての可変抵抗器８０と、Ａ／Ｄ変換器８１とで構成されており、可変抵抗器８０の操作により抵抗値が変化するので、抵抗値の変化に連動してＡ／Ｄ変換器８１に出力される電圧値が変化し、Ａ／Ｄ変換器８１で電圧値がデジタル値に変換される。簡単な例として２ビットのデジタル値「０」〜「３」に変換するようにしてもよい。
【００２３】
制御部１は、変換された電圧値を読み取ると、前回読み取った値と比較して、ボリュームが回転操作されたか否かを検出する。ここで読み取った電圧値が前回の値から変化していれば、その値を、次回の比較のために図示しない記憶手段に記憶更新する一方、その時点で音声出力しているか否かによって、レジスタ１（１０Ａ）とレジスタ２（１０Ｂ）のいずれか一方にも記憶する。
【００２４】
レジスタ１（１０Ａ）とレジスタ２（１０Ｂ）は、書き込まれた電圧値を保持し、かつ図示しない出力ポートを通じて、その電圧値を音声信号出力部１２に対して常時出力する。そして、図示しないデコーダによって、制御部１から出力された電圧値「０」〜「３」をそれぞれ、「０００１」、「００１０」、「０１００」、「１０００」にデコードする。デコードされた４桁の値の各「０」、「１」は、分圧抵抗Ｒ１〜Ｒ４の開、閉の制御に対応する。音声信号出力部１２は、受け付けた電圧値に基づいて、分圧抵抗Ｒ１〜Ｒ４のいずれか１つを閉制御する。
【００２５】
制御部１は、レジスタ１（１０Ａ）とレジスタ２（１０Ｂ）とを備えており、Ａ／Ｄ変換器８１によりデジタル化した電圧値がそれぞれに書き込まれ、書き込まれたデジタル値は、図示しないデコーダによりデコードされ、アナログスイッチ１２Ａ，１２Ｂにそれぞれ書き込まれる。
【００２６】
音声信号出力部１２は、分圧抵抗Ｒ１〜Ｒ４が接続されたアナログスイッチ１２Ａを備えており、アナログスイッチ１２Ａには、分圧抵抗Ｒ９を接続し、分圧抵抗Ｒ９の前段に、スピーカＳＰを接続した増幅器１２Ｂを接続している。
【００２７】
アナログスイッチ１（１２Ａ）は、分圧抵抗Ｒ１〜Ｒ４のそれぞれに接続されるように常開型の接点を内蔵しており、レジスタ１（１０Ａ）に書き込まれたデジタル値に応じて、いずれか１の接点を閉制御する。すなわち、アナログスイッチ１（１２Ａ）には「０００１」、「０１００」、「０１００」、「１０００」のいずれかのデジタル値が書きこまれ、「０」に対応する接点は開いたまま保持し、「１」に対応する接点は閉制御する。
【００２８】
これにより、増幅器１２Ｂに、分圧抵抗Ｒ１〜Ｒ４のいずれかと、分圧抵抗Ｒ９とにより分圧された電圧値が入力される。スピーカＳＰから出力される音声信号の音量は、増幅器１２Ｂに入力される電圧値、つまり、分圧抵抗Ｒ１〜Ｒ４のいずれかと、分圧抵抗Ｒ９との合成抵抗により決定される。
【００２９】
表示部９は、分圧抵抗Ｒ５〜Ｒ８が接続されたアナログスイッチ９Ａを備えており、アナログスイッチ９Ａには、分圧抵抗Ｒ１０を接続し、分圧抵抗Ｒ１０の前段には、ＬＣＤドライバ９Ｂを介して、液晶表示器９Ｃを接続している。
【００３０】
アナログスイッチ９Ａは、分圧抵抗Ｒ５〜Ｒ８のそれぞれに接続されるように常開型の接点を内蔵しており、レジスタ２（１０Ｂ）に書き込まれたデジタル値に応じて、いずれか１の接点を閉制御することにより、ＬＣＤドライバ９Ｂに、分圧抵抗Ｒ５〜Ｒ８、分圧抵抗Ｒ１０により分圧された電圧値が入力される。ＬＣＤドライバ９Ｂは、分圧抵抗Ｒ５〜Ｒ８のいずれかと、分圧抵抗Ｒ１０との合成抵抗により決定される電圧値の入力に応じて、液晶表示器９Ｃの表示濃度、コントラスト、輝度を決定する。
【００３１】
図３は、本発明のファクシミリ装置Ｆの基本動作の一例を説明するためのフローチャートである（１００〜１０５）。
【００３２】
ファクシミリ装置Ｆの制御部１は、Ａ／Ｄ変換器８１によりデジタル化された電圧値を定期的に読み出し、前回読み出した値と異なっていないときには、読み出した電圧値を制御部１の内部メモリに記憶し、かつ、前回読み出した電圧値と異なっているときには、読み出した電圧値を制御部１の内部メモリに記憶させるとともに、音声信号を出力しているか否かを判別する。
【００３３】
音声信号を出力しているときには、レジスタ１（１０Ａ）に電圧値を記憶させ、記憶させた電圧値をデコードしてアナログスイッチ１（１２Ａ）に書き込む。そうすると、アナログスイッチ１（１２Ａ）では、書き込まれた電圧値に応じた接点を閉制御して、増幅器１２Ｂに入力する電圧値を変更する。
【００３４】
一方、音声信号を出力していないときには、レジスタ２（１０Ｂ）に電圧値を記憶させ、記憶させた電圧値をデコードしてアナログスイッチ２（１２Ｂ）に書き込む。そうすると、アナログスイッチ２（１２Ｂ）では、書き込まれた電圧値に応じた接点を閉制御して、ＬＣＤドライバ９Ｂに入力する電圧値を変更する。
【００３５】
図４は、本発明のファクシミリ装置Ｆの基本動作の他例を説明するためのフローチャートである（２００〜２０９）。
【００３６】
ファクシミリ装置Ｆの制御部１は、Ａ／Ｄ変換器８１によりデジタル化された電圧値を定期的に読み出し、前回読み出した電圧値と異なっていないときには、読み出した電圧値を制御部１の内部メモリに記憶し、かつ、前回読み出した電圧値と異なっているときには、制御部１の内部メモリに記憶するとともに音声信号を出力しているか否かを判別する。
【００３７】
音声信号を出力しているときには、読み出した電圧値が前回の電圧値より大きいか否かを判定する。
【００３８】
前回の電圧値より大きいときには、レジスタ１（１０Ａ）の電圧値を１インクリメントし、その値をアナログスイッチ１（１２Ａ）に書き込む。一方、前回の電圧値より小さいときには、レジスタ１（１０Ａ）の電圧値を１デクリメントし、その値をアナログスイッチ１（１２Ａ）に書き込む。そうすると、増幅器１２Ｂに入力される電圧値は、前回の電圧値と比較した大小に応じて１段階づつ大小するので、可変抵抗器８０の操作に応じて、音量が徐々に大小するという利点がある。
【００３９】
一方、音声信号を出力していないときにも、読み出した電圧値が前回の電圧値よりも大きいか否かを判定する。
【００４０】
前回の電圧値より大きいときには、レジスタ２（１０Ｂ）の電圧値を１インクリメントし、その値をアナログスイッチ２（１２Ｂ）に書き込む。一方、前回の電圧値よりも小さいときには、レジスタ２（１０Ｂ）の電圧値を１デクリメントし、その値をアナログスイッチ２（１２Ｂ）に書き込む。そうすると、ＬＣＤドライバ９Ｂに入力される電圧値は、前回の電圧値と比較した大小に応じて１段階づつ大小変化させるので、可変抵抗器８０の操作に応じて、液晶表示器９Ｃの表示濃度が徐々に大小変化できるという利点がある。
【図面の簡単な説明】
【００４１】
【図１】本発明の電子機器の要部構成の一例を示すブロック図
【図２】本発明の電子機器の具体的な構成の一例を示す図
【図３】本発明の電子機器の基本動作の一例を示すフローチャート
【図４】本発明の電子機器の基本動作の他例を示すフローチャート
【符号の説明】
【００４２】
Ｆ  ファクシミリ装置
１  制御部
８  操作部
９  表示部
１２  音声信号出力部
【図１】
2008177685.tif 000003
【図２】
2008177685.tif 000004
【図３】
2008177685.tif 000005
【図４】
2008177685.tif 000006